(57)【要約】【目的】  加圧作用で支援して筆記可能とするノック式のボールペンを安価に提供可能とする。【構成】  軸筒先方の先端口から筆記先端部を出没可能とするノック式のボールペンに於いて、カム筒内にそのカム溝と迎合するカム部を有したノック棒と回転子が軸推移自在に嵌挿され、前方から回転子の軸心に後端閉塞状の装着筒が設けられ、また、装着筒前方外周に突状のシール部が設けられて、該シール部が軸筒の内周あるいは軸筒内に固定された筒体の内周に密接され、また装着筒の前端に適宜空間部を有してシール体が軸筒内に固定されて、インキ収容管がシール体の軸心を摺動自在且つ密接状に貫通して前記装着筒に嵌着されると共に、インキ収容管と装着筒の内面との間にインキ収容管の後端孔に通じる通気路が形成され、ノック棒をノックして回転子を前進位置に係止した時に前記空間部が圧縮され、ボールペンリフィールのインキ後端が加圧可能となる。【選択図】        図１
2005125686.tif 000002
【特許請求の範囲】
【請求項１】
先端にボールペンのチップと後方にインキ収容管を備え、インキ収容管に初期筆記でインキがとぎれやすいインキが充填されてなるボールペンリフィールと、そのボールペンリフィールを搭載して軸筒先方の先端口から筆記先端部を出没可能とするノック式のボールペンに於いて、
カム筒内にそのカム溝と迎合するカム部を有したノック棒と回転子が軸推移自在に嵌挿され、前方から回転子の軸心に後端閉塞状の装着筒が設けられ、また、装着筒前方外周に突状のシール部が設けられて、該シール部が軸筒の内周あるいは軸筒内に固定された筒体の内周に密接され、また装着筒の前端に適宜空間部を有してシール体が軸筒内に固定されて、ボールペンリフィールのインキ収容管がシール体の軸心を摺動自在且つ密接状に貫通して前記装着筒に嵌着されると共に、インキ収容管と装着筒の内面との間にインキ収容管の後端孔に通じる通気路が形成され、ボールペンリフィールと装着筒および回転子がリターンスプリングによって常時軸筒の後方に附勢されて、ノック棒をノックして回転子を前進位置に係止した時に前記空間部が圧縮され、ボールペンリフィールのインキ後端が加圧されるように構成されたことを特徴とするノック式のボールペン。
【請求項２】
ボールペンリフィールの前方で、軸筒との間にリターンスプリングが敷設されてなる請求項１に記載のノック式のボールペン。
【請求項３】
装着筒と軸筒あるいはカム筒との間にリターンスプリングが敷設されてなる請求項１に記載のノック式のボールペン。
【請求項４】
回転子と装着筒が一体に形成されてなる請求項１に記載のノック式のボールペン。
【請求項５】
回転子の軸心に別体の後端閉塞状の装着筒が貫通した状態で設けられてなる請求項１に記載のノック式のボールペン。
【発明の詳細な説明】
【技術分野】
【０００１】
本発明は、ボールペンリフィールを搭載して、ノックによって筆記先端部を軸先より突出可能とすると共に、ノック時の加圧操作によってインキのチップ側への流動性が支援されるように構成されたノック式のボールペンに関する。
【背景技術】
【０００２】
【特許文献１】特開平８−５２４０７
【特許文献２】特表平７−５０６８６２
【特許文献３】特開２００１−１５０８６５
【特許文献４】特開２００２−２４０４８６  （特許文献１）  従来、誤記等を修正するために白色顔料を用いた液体塗布具が知られている。また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。  （特許文献２）  また、剪断減粘性を有するインキを使用して、攪拌しないですむものも知られているが、上向きで塗布したときにインキが逆流してインキ切れしやすい問題が存在する。  （特許文献３）  また、軸筒の後端にポンピング式の加圧機構部が設けられ、更にその前方で且つインキの後端に接触してインキの消耗と共に追随するよう配設されたフォロアの後端に位置して弁機構が配設され、加圧機構部の前進作動によって軸筒の後端孔に空気が押し込まれて、その際に所定圧で弁が開いてフォロアの後端が加圧されることによってインキのチップ側への流動性が支援されるように構成されたものが提案されている。しかしながら、このものは構造が複雑でややコスト高となる欠点がある。  （特許文献４）  本発明の引用例となるノック式筆記具である。
【発明の開示】
【発明が解決しようとする課題】
【０００３】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、ノックによって筆記先端部を軸先より突出可能とすると共に、ノック時の加圧作用で支援して筆記可能とするノック式のボールペンを安価に提供可能とする。
【課題を解決するための手段】
【０００４】
本発明は、上記課題を達成するために以下の構成を有する。
請求項１に記載の発明に係るノック式のボールペンは、先端にボールペンのチップと後方にインキ収容管を備え、インキ収容管に初期筆記でインキがとぎれやすいインキが充填されてなるボールペンリフィールと、そのボールペンリフィールを搭載して軸筒先方の先端口から筆記先端部を出没可能とするノック式のボールペンに於いて、カム筒内にそのカム溝と迎合するカム部を有したノック棒と回転子が軸推移自在に嵌挿され、前方から回転子の軸心に後端閉塞状の装着筒が設けられ、また、装着筒前方外周に突状のシール部が設けられて、該シール部が軸筒の内周あるいは軸筒内に固定された筒体の内周に密接され、また装着筒の前端に適宜空間部を有してシール体が軸筒内に固定されて、ボールペンリフィールのインキ収容管がシール体の軸心を摺動自在且つ密接状に貫通して前記装着筒に嵌着されると共に、インキ収容管と装着筒の内面との間にインキ収容管の後端孔に通じる通気路が形成され、ボールペンリフィールと装着筒および回転子がリターンスプリングによって常時軸筒の後方に附勢されて、ノック棒をノックして回転子を前進位置に係止した時に前記空間部が圧縮され、ボールペンリフィールのインキ後端が加圧されるように構成されたことを特徴とする。
【０００５】
請求項２に記載の発明に係るノック式のボールペンは、請求項１に記載のノック式のボールペンに於いて、ボールペンリフィールの前方で、軸筒との間にリターンスプリングが敷設されてなる。
【０００６】
請求項３に記載の発明に係るノック式のボールペンは、請求項１に記載のノック式のボールペンに於いて、装着筒と軸筒あるいはカム筒との間にリターンスプリングが敷設されてなる。
【０００７】
請求項４に記載の発明に係るノック式のボールペンは、請求項１に記載のノック式のボールペンに於いて、回転子と装着筒が一体に形成されてなる。
【０００８】
請求項５に記載の発明に係るノック式のボールペンは、請求項１に記載のノック式のボールペンに於いて、回転子の軸心に別体の後端閉塞状の装着筒が貫通した状態で設けられてなる。
【発明の効果】
【０００９】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、ノックによって筆記先端部を軸先より突出可能とすると共に、ノック時の加圧作用で支援して筆記可能とするノック式のボールペンが安価に提供可能となる。
【発明を実施するための最良の形態】
【００１０】
図１から図１４は本発明の一実施例を示している。
先ず、本発明に使用されるボールペンリフィールは、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなど、加圧作用で支援して筆記可能とするボールペンリフィールや、低粘度インキの水性、油性のボールペン、剪断減粘性を有したインキのボールペン、高粘度インキの油性ボールペンなど様々なボールペンが適用される。
【００１１】
またボールペンリフィールは、インキの仕様やインキ収容管の太さ等によってチップ先端部の耐乾燥性、インキの直流及び逆流防止の対策が重要となる。乾燥しやすいインキ、低粘度のインキは耐乾燥性やインキの直流を防止するために先端ボールをチップのボール抱持部の内縁に密接させる手段が必要であり、インキの後端にインキの乾燥防止や逆流防止のフォロアが必要となる。また、インキ収容部が太い場合には、チップの後端とインキ収容部との間にインキの逆流を防止する弁機構が必要となる。また、加圧機構を必要とするインキに対してはインキが逆流して、弁機構部やノック機構部にインキ等が付着するのを防止するためにもフォロアが必要である。（加圧のためのシール部の劣化や加圧機構の摺動・作動不良の防止など）
【００１２】
図１及び図２に示すように、軸筒１の後方にノック機構部が配設され、軸筒１の後端孔から突出するノックカバー８（ノック部）を前後動させることによってボールペンリフィール１１の筆記先端部が軸筒１先方に着脱自在に止着された口先部２の先端口から出没可能となされている。
【００１３】
図３は軸筒１の半断面図を示している。図に示すように、軸筒１は後半の筒部に対し略前半の筒部（先方軸部１ａ）がやや細径に形成され、先方軸部１ａの略前端の外周に周状の突部１ｅと、先方軸部１ａの後端に段部１ｆが形成されている。また軸筒１後端外周部の一側にクリップを固着する為の取付け台１ｃが形成され、その軸線上の前方に窓部１ｂが穿設されて、軸筒の後端から窓部１ｂのやや前方に至る長さで孔部１ｈが設けられ、また窓部１ｂの軸線上で孔部１ｈの内壁に溝１ｇが形成されている。またその孔部１ｈの前端に段部１ｄが形成されると共に、軸筒１の前端までやや小径となした孔部が貫通して設けられている。
またその孔部には、偏肉を生じないように成形上の理由をかねて所要箇所にリブが設けられている。
【００１４】
また図４に示すように、カム筒５は筒体でその外周部には軸筒１に固定するための突起５ａが形成され、その突起５ａの軸線上にリブ５ｄが形成されている。また筒体内孔の後方で、内壁にリブとカム溝５ｂが放射状に交互に形成されたカム部が設けられている。
またカム溝５ｂは、径方向に深いカム溝と浅いカム溝が交互に形成され、リブの先端と浅いカム溝の先端に向けて傾斜面が形成されている。（この構造はよく知られたものであり、詳細な説明は省略する。）また上記突起５ａが位置する面に対して９０度回転した両側の面にカム筒５の前端から適宜長さのスリット５ｃが後方に向かって形成されると共に、そのスリット５ｃの略前端に矩形状の切り窓部５ｇが形成され、その切り窓部５ｇの前端に段部５ｆが設けられて、該段部５ｆの前方にカム筒５の前端に向かって拡開したテーパー部５ｅが形成されている。
なお、上記スリット５ｃは２カ所以上で設けられても良い。
【００１５】
また図５はノック棒６を示している。ノック棒６の前方部外周の所要箇所には前記カム筒５のカム溝５ｂに嵌挿するリブ６ａｂが形成され、先端には回転子７の山形状のカム部７ａと迎合するカム部６ａａが形成されている。
なお、実施例に於いてはカム部６ａａとリブ６ａｂが分けて形成されているが、無論一体カム部として形成することもできる。
【００１６】
また図６は回転子７を示している。回転子７の中央部外周の所要箇所には前記カム筒５のカム溝５ｂの割付位置に対応するリブ状でその先端に傾斜状の突部を有したカム部７ａと、その間に山形状のカム部が円周状に形成されている。
このカム部７ａと山形状のカム部も、上記ノック部棒の一体のカム部と対応させて一体のカム部として形成することもできる。
以上、図４，図５，図６で示されるノック機構部のカム部構造はよく知られたものであり、詳細な説明は省略する。またノック機構部の形態は多様であり、それぞれよく知られたものである。
【００１７】
また回装着筒１４は、略中央に形成された鍔部１４ａの後方に軸部１４ｂが延設され、鍔部１４ａの前方に軸部１４ｃが延設されている。また軸部１４ｃの前端から軸部１４ｂの後端の閉塞部１４ｅまで孔部が設けられている。また軸部１４ｂの孔部内壁にボールペンリフィール１１の外周に係合してボールペンリフィールを着脱自在に保持する突条などで形成される係合部１４ｂが設けられ、更に孔部の後端には所要箇所でリブ１４ｆと孔部内面に沿って軸方向に通気溝１４ｈが設けられている。
また、軸部１４ｃの略前端外周に周溝部１４ｉが設けられており、そこにゴム等の弾性体よりなるシールリング１４ｊが取りつけられている。（尚、シールリングは軸部と一体で形成することも可能である。）
上述した回転子７は、装着筒１４の略中央に形成された鍔部１４ａの後端に前端を当接させた状態で、装着筒の後方軸部１４ｂ外周に回転自在に嵌挿される。
【００１８】
以上により、カム筒５内にそのカム溝５ｂと迎合するカム部を有したノック棒６と装着筒１４に取りつけられた回転子７が軸推移自在に嵌挿される。また図９及び図１０に示すように、受け座９は、カム筒５の前端内孔部に嵌挿する外周部に、カム筒のスリット５ｃに対応する突部９ａが形成されて、その突部９ａがスリット５ｃの略前端に形成された段部５ｆに弾性変形を利用して係止される。
その際に装着筒の鍔部１４ａの前端と受け座９との間にリターンスプリング１０が敷設されると共に、リターンスプリング１０によって回転子７が常時軸筒１の後方に附勢される。またカム筒５の前端内孔部とそこに嵌挿する受け座９の外周部との間に適宜隙間を設けることで、カム筒５を軸筒１に装着する際に突起５ａが軸心側に弾性変形するのを容易化できる。
【００１９】
また軸筒１の溝１ｇにカム筒５のリブ５ｄを嵌挿させた状態で軸筒の後端からカム筒５が挿入され、軸筒に穿設された窓部１ｂにカム筒に設けられた突起５ａが相互間の弾性変形を利用して係合する。
ところで、軸筒１にカム筒５を係合固定する前に、軸筒１の段部１ｄに当接させた状態でシール体１３が装着され、そのシール体１３を固定するとともに軸筒内孔に筒体１２が固定されており、軸部１４ｃの略前端外周に設けられたシールリング１４ｊの外周が筒体１２の内周に密接状態となされる。
【００２０】
またノック棒６の後端にノック部となるノックカバー８が止着され、取付け台１ｃにクリップ４が固着される。
また軸筒１の前端からボールペンリフィール１１が挿入され、そのインキ収容管１１ｂの外周が装着筒の軸部１４ｂの孔部内壁に設けた係合部１４ｇに係合されてボールペンリフィール１１が装着筒１４と一体に保持される。
【００２１】
また図２に示すように、軸筒１の先方軸部１ａの外周部に不透明又は略不透明な天然ゴム、合成ゴム、その他弾性樹脂などで成形されたグリップ３が装着される。図１２に示すように、グリップ３は略前端の内孔部に段部３ａが形成されており、先方軸部１ａに装着された後、先方軸部１ａの略前端の外周に周状に設けられた突部１ｅの後面に上記段部３ａが当接することで、軸筒１に対しグリップ３が抜け止めされる。
また先方軸部１ａの最前端部外周部には螺子部等が形成されており、そこに口先部２が螺着される。
【００２２】
（作用）
上記の実施例に基き作用を以下に説明する。まず、ノック部であるノックカバー８の後端をノックしてノック棒６を前進させると回転子７が回転して前進位置に位置決めされ、ボールペンリフィール１１のチップ１１ａが口先部２の先端口２ａから突出して筆記状態となる。
そのとき、装着筒１４の略前端外周に設けられたシールリング１４ｊの外周が筒体１２の内周に密接した状態で前進し、且つシール体１３の軸心部内面をボールペンリフィール１１が密接した状態で前進するので、シール体とシールリングとの間の空間部が圧縮されて、インキ収容管の後端孔に通じる通気路（通気溝１４ｈ、リブ１４ｆの構成）によりボールペンリフィールの後端孔が加圧される。
加圧により、落下衝撃やインキの流動性の悪さ等に起因して先端ボールの周面からインキが離れてしまい連続的なインキの流出がとぎれるのを防止する作用ととぎれた時に回復する作用となる。
またこの状態から再びノックすると回転子７が回動して後退位置になりチップ１１ａが先端口２ａから没入する。この際にボールペンリフィール１１と回転子７が一体に保持されているので、ボールペンリフィール１１は回転子７と共に回転しながら突出、没入をする。
そのとき、装着筒１４の略前端外周に設けられたシールリング１４ｊの外周が筒体１２の後端に設けられた逃げ部１２ａに位置して、前記空間部が外気と連通された状態になすことができる。
【００２３】
（その他の実施形態）
また、上述した実施例に於いて、装着筒と回転子を一体に設けることも可能である。
その場合、回転子の回転方向に対して端部が引っかからない方向にリターンスプリングの捲き線方向が設けられることによって回転子は阻害されることなく回転する。またリターンスプリングの端面と回転子の前端との間、あるいはリターンスプリングの端面と受け座の後面との間に滑り性の良い座部品を設けることで例えリターンスプリングの端面にバリがあったとしても回転子の回転は阻害されないようにすることができる。
また回転子の回転方向に対して端部が引っかからない方向にリターンスプリングの捲き線方向が設けられることによって回転子は阻害されることなく回転させることもできる。  上述した実施例の場合には、回転子にリターンスプリング１０が直接当接しないので回転子の回転は全く阻害されない。
また、上述した実施例に於いては、受け座９を介して装着筒１４とカム筒５との間にリターンスプリングを敷設しているが、軸筒の前方でボールペンリフィールを後方に附勢するように軸筒とボールペンリフィールとの間にリターンスプリングを敷設するように構成することも可能である。
【図面の簡単な説明】
【００２４】
【図１】実施例であるノック式のボールペンの後半部を示す半断面図で、ノックしてボールペンリフィールを前進させた状態を示している。
【図２】実施例であるノック式のボールペンの前半部を示す半断面図で、筆記先端部を軸筒の先端口から突出させた状態を示している。
【図３】軸筒の半断面図である。
【図４】カム筒の半断面図である。
【図５】ノック棒の半断面図である。
【図６】回転子の半断面図である。
【図７】ノックカバーの半断面図である。
【図８】装着筒の半断面図である。
【図９】受け座の正面図である。
【図１０】受け座の半断面図である。
【図１１】リターンスプリングを示す図である。
【図１２】グリップの半断面図である。
【図１３】口先部の半断面図である。
【図１４】ボールペンリフィールの外観を示す図である。
【符号の説明】
【００２５】
１        軸筒
１ａ      先方軸部
１ｂ      窓部
１ｃ      取付け台
１ｄ      段部
１ｅ      突部
１ｆ      段部
１ｇ      溝
１ｈ      孔部
２        口先部
２ａ      先端口
３        グリップ
３ａ      段部
４        クリップ
５        カム筒
５ａ      突起
５ｂ      カム溝
５ｃ      スリット
５ｄ      リブ
５ｅ      テーパー部
５ｆ      段部
５ｇ      切り窓部
６        ノック棒
６ａａ    カム部
６ａｂ    リブ
７        回転子
８        ノックカバー
９        受け座
９ａ      突部
１０      リターンスプリング
１１      ボールペンリフィール
１１ａ    チップ
１１ｂ    インキ収容管
１２      筒体
１２ａ    逃げ部
１３      シール体
１４      装着筒
１４ａ    鍔部
１４ｂ    軸部
１４ｃ    軸部
１４ｄ    孔部
１４ｅ    閉塞部
１４ｆ    リブ
１４ｇ    係合部
１４ｈ    通気溝
１４ｉ    周溝部
１４ｊ    シールリング
【図１】
2005125686.tif 000003
【図２】
2005125686.tif 000004
【図３】
2005125686.tif 000005
【図４】
2005125686.tif 000006
【図５】
2005125686.tif 000007
【図６】
2005125686.tif 000008
【図７】
2005125686.tif 000009
【図８】
2005125686.tif 000010
【図９】
2005125686.tif 000011
【図１０】
2005125686.tif 000012
【図１１】
2005125686.tif 000013
【図１２】
2005125686.tif 000014
【図１３】
2005125686.tif 000015
【図１４】
2005125686.tif 000016